(57)【要約】　　　（修正有）【課題】広告媒体として機能が十分に発揮され、携帯に便利で、折りたたんで包装袋に収納された袋を提供する。【解決手段】開口部を閉じるための紐（４，５）を備えた袋本体と、折りたたまれた前記袋本体を収納して封止した包装部（３０）とを有し、前記包装部（３０）は、少なくとも前記紐あるいは前記袋本体の一部とが接着されており、かつその表面に印刷面を有し、さらに、前記包装部には互いに交差する切り込み線（２２）が設けられ、前記紐あるいは前記包装部の両端部を引っ張ることにより、前記包装部が分割されながら、破れつつ開封され、同時に収納されていた前記袋本体が折りたたみがほぐれつつ前記包装部から引き離されて展開し、前記袋本体が展開したときに、前記分離した前記包装部が、前記印刷面を維持しつつ前記紐あるいは前記袋本体の一部とつながった状態となるように構成したことを特徴とする袋。【選択図】　図１
2004001863.tif 000002
【特許請求の範囲】
【請求項１】
開口部と、該開口部を閉じるための紐とを備えた袋本体と、
折りたたまれた状態の前記袋本体を収納して封止した包装部とを有し、
前記包装部は、少なくとも前記紐あるいは前記袋本体の一部とが接着されており、前記包装部は、その表面に印刷面を有し、さらに、前記包装部には互いに交差する第１と第２の方向に切り込み線が設けられ、前記紐あるいは前記包装部の両端部を引っ張ることにより、前記包装部が前記第１の切り込み線から分割されながら、かつ前記第２の切り込み線が破れつつ開封され、同時に収納されていた前記袋本体が折りたたみがとけつつ前記包装部から引き離されて展開し、前記袋本体が展開したときに、前記分離した前記包装部が、前記印刷面を維持しつつ前記紐あるいは前記袋本体の一部とつながった状態となるように構成したことを特徴とする袋。
【請求項２】
前記包装部は、外形がほぼ長方形であり、前記第１の切り込みが前記長方形の短辺とほぼ平行する方向に設けられ、前記第２の切り込みが前記長方形の長辺方向に沿って設けられたことを特徴とする請求項１に記載の袋。
【請求項３】
前記紐の両先端部が、前記包装部の前記短辺の両端部に接着されていることを特徴とする請求項２に記載の包装袋。
【請求項４】
前記紐の両先端部が、前記包装部の前記長辺の一方の端部に接着されて、前記第１の切り込み線が前記紐の両先端部の間に配置されていることを特徴とする請求項２に記載の包装袋。
【請求項５】
開口部と、該開口部に２箇所の突起部あるいは持ち手の少なくともいずれかを設けた袋本体と、
おりたたまれた状態の前記袋本体を収納して封止した包装部とを有し、
前記包装部は、少なくとも前記突起部あるいは前記持ち手とが接着されており、前記包装部は、その表面に印刷面を有し、さらに、前記包装部には互いに交差する第１と第２の方向に切り込み線が設けられ、前記紐あるいは前記包装部の両端部を引っ張ることにより、前記包装部が前記第１の切り込み線から分割されながら、かつ前記第２の切り込み線が破れつつ開封され、同時に収納された前記袋本体が折りたたみがとけながら前記包装部から引き離されて展開し、前記袋本体が展開したときに、前記分離した前記包装部が、前記印刷面を維持しつつ前記突起部あるいは前記持ち手の少なくともいずれかとつながった状態となるように構成したことを特徴とする袋。
【請求項６】
前記包装部は、外形がほぼ長方形であり、前記第１の切り込みが前記長方形の短辺とほぼ平行する方向に設けられ、前記第２の切り込みが前記長方形の長辺方向に沿って設けられたことを特徴とする請求項５に記載の包装袋。
【請求項７】
前記突起部の一つの先端部が、前記包装部の前記長辺の一方の端部に接着され、もう一つの突起部の先端部が、前記包装部の前記長辺の他方の端部に接着されていることを特徴とする請求項６に記載の包装袋。
【請求項８】
前記袋は、持ち手となる二つの第１の突起部と、前記袋の開口部を閉じるための２箇所の第２の突起部とを有することを特徴とする請求項５から７のいずれかに記載の包装袋。
【請求項９】
前記印刷面に、広告あるいは宣伝のための文字、絵、図形及び写真の少なくともいずれかを印刷していることを特徴とする請求項１から８のいずれかに記載の包装袋。
【発明の詳細な説明】
【０００１】
【発明の属する技術分野】
本発明は、折りたたみ袋に関し、特に携帯に便利で使用しやすい包装袋に収納された折りたたみ式の袋に係わる。
【０００２】
【従来の技術】
最近の環境保護意識や省資源化の高まりに伴って、登山、キャンプ、ハイキング、花見あるいはドライブなどでは、発生するゴミを集めて持ち帰ったり、ゴミ箱などに入れるために、ゴミ袋を用意して行くことが良く行われるようになってきた。携帯用のゴミ袋としては、使用時には大きく広がってたくさんのゴミを収納でき、しかも使用する前には、できるだけ小さく携帯や保管などに便利な形状および構造が望ましい。
【０００３】
従来の携帯用ゴミ袋の構造を、図を参照して説明する。図２に示すような袋が用意される。図２の袋１は、横から見た形状がほぼ長方形でポリエチレンやその他の合成樹脂材料や紙あるいは布など柔軟性のある材料でできている袋本体２を有し、袋本体２の上部の一辺にはそこからゴミなどを投入するための開口部３が設けてあって他の辺は閉じられている。さらに開口部３に沿って設けた紐４，５を矢印方向に引くと開口部３が閉じられて内部のゴミが外部に出ないように収められるようになっている。図２のゴミ袋１は、使用する前は、図１２に示すように幾重にか小さくコンパクトな形状に折りたたまれた状態で、包装袋６の中に収納されている。包装袋６は開口部のない全辺が封止された袋である。
【０００４】
図１２に示す携帯用ゴミ袋を実際にゴミ袋として使用する場合には、包装袋６を破って中からゴミ袋１を取り出す。取り出しやすくするために、包装袋６の中心部などに１本の切り込み線７をあらかじめいれておいて包装袋６を、矢印方向に強く引っ張ると、切り込み線７の部分から破れて中からゴミ袋１が取り出せて、その折りたたみを解いて広げれば、図２のゴミ袋として利用できるようになる。
【０００５】
しかしながら、この場合には、ゴミ袋１は取り出せるが、半分に破れて分割した包装袋６がゴミ袋から分離されて、この破れて分離した包装袋６を新たなゴミとして処分する必要が生じる。また、分離した包装袋６が飛散してゴミとして周囲を汚す可能性があるなど、環境保護の観点からは好ましくない。このために、包装袋６を線８，９の個所で熱溶着して、紐４，５と接着して、包装袋６が破れても、内部のゴミ袋１とは分離しないようにして、ゴミ袋１と一緒に使用するものが考えられる。その場合には、紐４，５の部分を指で強く挟みつつ、包装袋６を矢印方向に強く引っ張ることにより、切り込み線７の部分から破れると同時に紐４，５が左右に引っ張られて中のゴミ袋１の折りたたみがほどけながら展開して取り出される。
【発明が解決しようとする課題】
【０００６】
このような携帯用ゴミ袋は、持ち運びに便利で、大量にしかも比較的安価に製造できるので、この携帯用ゴミ袋自体が商品として販売されることもあるが、別の商品の宣伝広告媒体として不特定多数の人へ配るノベルティ品としてや、商品の販売促進のキャンペーン用の景品とか、店頭での顧客へのサービスや、企業広告や、各種のイベントなどでの参加者へ配る粗品などとしての用途が数多く考えられる。その場合には、包装袋６の表面に、商品の広告や、キャンペーンの案内や、店舖や企業の名称や電話番号あるいは、キャッチフレーズなどの文字やイラストあるいは写真などを印刷して、それが良く人の目に触れるようにして広告宣伝媒体として出来るだけ長く有効に活用されなければならない。
【０００７】
ところが、図１２に示したような構造の携帯用ゴミ袋の場合には、紐が包装袋と固着されてない場合では、使用開始直後に破れて分離した包装袋６が飛散したり、ゴミとしてすぐに処分されてしまう可能性が高いために、その表面の印刷の広告媒体としての価値がゴミ袋として使用されると同時に失われてしまう。また、包装袋６とゴミ袋１の紐４，５とを熱溶着したものの場合であっても、紐４，５を押さえながら包装袋６を左右方向に強く引っ張ると同時にある程度強くしごかないと内部の折りたたまれたコミ袋１がうまく展開しないために、包装袋６が変形しやすく、しわくちゃになった状態となって、その表面に印刷されたイラストや文字などが読めなくなったり、読みにくくなったりする。これでは、包装袋を破ってゴミ袋として使用すると同時に、広告宣伝媒体としての機能を失ってしまう。
【０００８】
また、図１２のように、包装袋６の中心部だけに切り込み線７を設け、紐４，５と包装袋６とを溶着したものでは、左右方向に強い力が与えられて切り込み線７が破けても、ゴミ袋１が包装袋６の筒状の内側でその動きを制限され広がりにくく、容易にほぐれて展開することがむずかしく、ゴミ袋１が包装袋６から完全に分離しきらないと折りたたみ状態が展開できず、使いにくい。さらに、紐４，５の上から包装袋６を引っ張ると紐と包装袋との摩擦が少ないためにすべり易く、どうしても余分な力を加えてしまうために包装袋６がしわになりやすく、印刷面が読めなくなる場合が多い。
【０００９】
さらに、図１２のように、包装袋６の中心部だけに切り込み線７を設け、紐４，５と包装袋６とを溶着したものでは、上記のように、左右に強く引っ張っただけでは内部のゴミ袋１が容易に展開してくれないために、折りたたまれたゴミ袋１と包装袋６の内側との間の内部空間にできるだけ大きな余裕を設けて、その余裕のある空間でおりたたみ状態が解け始めやすくすることが必要である。従って、必然的に大きなサイズの包装袋６の外形となり、携帯性が失われる。逆に、携帯性を良くしようとして包装袋６の外形を小さくすると、内部の余裕空間が少なくなったり、折りたたみ回数を多くして収納しなければならなくなるなどしてますます、使用開始時の破る時にゴミ袋が展開しにくくなるという問題がある。
【００１０】
本発明の目的は、以上述べたような数々の携帯用ゴミ袋の問題点を解決して、ゴミ袋として使用される状態であっても包装袋の印刷面がしわになりにくく維持されて、広告媒体として機能が十分に発揮され、ゴミ袋として使用する場合にだれでも容易に開封ができて、かつ簡単に内部のゴミ袋が展開し、その上携帯に便利なコンパクトな包装形状を得ることができるような利便性の高い、折りたたんで包装袋に収納された袋の構造を提供することにある。なお、以下に述べる実施例においては、携帯用のゴミ袋としての利用の場合を例に説明するが、本出願人は、本発明による袋を、ゴミを入れるための袋に限定する意図はなく、袋の中に何を入れるかは使用者の利用目的によって変わるものであり、特許請求の範囲に記載のものは、ゴミ袋以外の用途の場合でも本願発明に含まれることを断っておく。
【００１１】
【課題を解決するための手段】
上記目的を達成するための本発明による袋は、開口部と、該開口部を閉じるための紐とを備えた袋本体と、折りたたまれた状態の前記袋本体を収納して封止した包装部とを有し、前記包装部は、少なくとも前記紐あるいは前記袋本体の一部とが接着されており、前記包装部は、その表面に印刷面を有し、さらに、前記包装部には互いに交差する第１と第２の方向に切り込み線が設けられ、前記紐あるいは前記包装部の両端部を引っ張ることにより、前記包装部が前記第１の切り込み線から分割されながら、かつ前記第２の切り込み線が破れつつ開封され、同時に収納されていた前記袋本体が折りたたみがとけつつ前記包装部から引き離されて展開し、前記袋本体が展開したときに、前記分離した前記包装部が、前記印刷面を維持しつつ前記紐あるいは前記袋本体の一部とつながった状態となるように構成した。
【００１２】
さらに、本発明による袋は、開口部と、該開口部に少なくとも２箇所の突起部を設けた袋本体と、おりたたまれた状態の前記袋本体を収納して封止した包装部とを有し、前記包装部は、少なくとも前記突起部あるいは前記袋本体の一部とが接着されており、前記包装部は、その表面に印刷面を有し、さらに、前記包装部には互いに交差する第１と第２の方向に切り込み線が設けられ、前記紐あるいは前記包装部の両端部を引っ張ることにより、前記包装部が前記第１の切り込み線から分割されながら、かつ前記第２の切り込み線が破れつつ開封され、同時に収納された前記袋本体が折りたたみがとけながら前記包装部から引き離されて展開し、前記袋本体が展開したときに、前記分離した前記包装部が、前記印刷面を維持しつつ前記紐あるいは前記袋本体の一部とつながった状態となるように構成した。
【００１３】
本発明の上記した目的を達成するために設けた本発明の特徴的な構造は、包装部の構成にある。すなわち、その包装部は、その表面に印刷面を有し、さらに、包装部には互いに交差する第１と第２の方向に切り込み線が設けられている。紐あるいは包装部の両端部を引っ張ることにより、包装部が第１の切り込み線から分割されながら、かつ第２の切り込み線もが破れつつ開封される。それと、同時に収納されていた袋本体が折りたたみがとけつつ包装部から引き離されて展開する。二方向に切り込みを設けたことにより、包装部にしわが生じるような過度の力を必要とすることなく、包装部の開封と袋本体の展開が容易となる。従って、印刷面が維持される。
【００１４】
【発明の実施の形態】
以下、本発明による袋を携帯用のゴミ袋の場合を例にして図面を参照して詳細に説明する。最初に説明する本発明の第１の実施例は、図２に示したような開口部分に紐がついた構造のゴミ袋を収納する場合であり、その後で説明する第２の実施例は、スーパーマーケットで買い物をした際に品物を入れるのに使用される所謂ポリ袋のような持ち手のついた構造の袋を収納する場合である。
【００１５】
（実施例１）
図２に示したような構造の袋１の袋本体２を図３で示すように横方向のほぼ中心線１０で折りたたみ、さらにそれを線１１で折りたたみ図４で示したように、元の約１／４の面積の形状とする。
【００１６】
次に、図４の形状から縦方向の線１２，１３を折り線として、図５の側面図のように折り重ねる。なお、図５は図４の袋本体２を矢印方向から見た模式図である。図５のように折り重ねた袋１の正面図は図６のようになる。ここで横方向のほぼ中心線１４から袋本体２を折りたたんで、図７のようにする。
【００１７】
次に、包装袋を作るために、図７の折りたたんだ袋１が十分納まる面積のほぼ２倍の大きさの図８に示したような長方形のシート２０を用意する。このシート２０は、その表面に文字やイラストあるいは写真などが印刷が印刷できるような柔らかくて薄い例えば合成樹脂材料でできている。さらに、シート２０には、図８の（ａ）の点線で示すような横方向の切込み線２１と縦方向の切り込み線２２とが互いに直交する方向に形成されている。切り込み線２１，２２の位置はシート２０のそれぞれ縦横の中心線かその近傍である。次に、図８の（ｂ）で示したように、シート２０の半分の領域に図７の折りたたんだ袋１を置く。
【００１８】
次に、図９の（ａ）で示すように、シート２０を横方向の切り込み線２１で折り曲げて重ねる。それを図９の（ｂ）で示すように、折りたたんだシート２０の両上下端部２３を熱溶着して固着させる。それをさらに図９の（ｃ）で示すように、折りたたんだシート２０の両左右端部２４，２５を紐４，５の先端を挟んで熱溶着して互いに固着させる。これによりゴミ袋１は、シート２０から形成され治包装袋３０内に封止され、紐４，５は包装袋の左右端部と固定されて、携帯用ゴミ袋が完成する。
【００１９】
包装袋３０の表面には、商品の広告や、キャンペーンの案内や、店舖や企業の名称や電話番号、ホームページのアドレスあるいは、キャッチフレーズなどの文字やイラストあるいは写真などが印刷される。この印刷は、図８の（ａ）のシート２０の状態の時に印刷されるとよい。
【００２０】
次に、図９の（ｃ）の携帯用ゴミ袋を使用開始する場合の手順を図１を参照して説明する。図１の（ａ）は図９の（ｃ）と同様な本発明の実施例１の携帯用ゴミ袋の開封前の状態である。
【００２１】
ここで、図１の（ｂ）で示すように、包装袋３０の上辺部２箇所（同図の矢印の根元付近）を指でつまんで、矢印方向に扇を開くような気持ちで軽く引っ張れば、包装袋３０の切り込み線２２が破れると同時に、下辺部のもう一つの切り込み部２１も破れてくる。このとき、包装袋３０の下部に大きな余裕空間が生じてゴミ袋１の展開を容易にする空間が生じる。
【００２２】
さらに、図１の（ｃ）で示すように、包装袋３０を矢印方向に引き離せば、包装袋３０は紐４，５に固定したまま完全に二つに分離し、そのとき紐４，５が引っ張られることによって、折りたたまれていたゴミ袋１は徐々に上下左右方向に展開していって、最後に図１の（ｄ）で示したような状態となる。この状態でゴミ袋として利用できる。
【００２３】
説明したように、包装袋３０を指でつまんで軽く引っ張るだけで、容易に分離して、分離した包装袋３０が紐４，５に固定したまま、中のゴミ袋１が展開されるので、分離した包装袋３０はしわにならず、原型を保っているために、印刷面が明瞭に残り、ゴミ袋として使用時も印刷面の情報が容易に読み取れることになる。
【００２４】
（実施例２）
次に、包装袋に収納される袋が図１のゴミ袋ではなく、スーパーマーケットで使用される袋（以下、便宜的にポリ袋と称する。）のような持ち手のついた構造の袋を収納する場合の実施例の構造を説明する。図１０は、ポリ袋４０の正面図であり、２箇所の持ち手４１、４２と、ポリ袋４０の開口部４３をセロハンテープなどで閉じる２箇所の突起４４が設けてある。図１０はポリ袋を２次元平面で図示したので見えないが、持ち手４１、４２はそれぞれ使用時は逆さＵ字型の取って部となり、突起部４４は２枚あるが図１０では二つが重なって１枚しか見えない。
【００２５】
図１０のポリ袋４０を実施例１の図３から図７で示したようなやり方で何回か折り曲げて小さな形状に折りたたむ。その折りたたんだポリ袋４０を図８で示したのと同様なシート２０の上に配置して封止すると図１１の携帯用ポリ袋が完成する。この場合、実施例１と異なる点は、実施例１の紐４，５の代りに、持ち手４１、４２が包装袋３０と固着されていることである。この携帯用ポリ袋の開封方法は、図１の場合の紐４，５を持ち手４１，４２に置き換えれば基本的に同じであるので、説明は省略する。
【００２６】
なお、図１１に示した実施例では、持ち手４１，４２の突起部分が包装袋３０と上端部２３において熱溶着されているが、ポリ袋４０を包装袋３０に収納する際の折りたたみ方を変えれば、持ち手４１，４２の代りに袋を閉じるための２箇所の突起４４（図１０）を突起部分として突き出させ、図１１に示したのと同様にこの突起部分が包装袋３０と上端部２３において熱溶着されるようにしてもよい。その場合には、包装袋３０が突起４４に接着されていることになるので、包装袋３０を破って、ポリ袋４０が展開した場合に、破れて二つに分割した包装袋３０が突起４４に付着しており、買い物客がポリ袋４０に品物をつめて持ち手４１，４２を持っていたとしても、突起部４４に付着した包装部３０の印刷面が人の目に触れる状態となって維持されるので、広告媒体としての効果がより優れるであろう。
【００２７】
実施例１及び実施例２における切込み線２１と２２の位置は、図８の（ａ）で示したようにちょうどシート２０の縦横の中心線に配置したが、本発明における切込み線は、中心線の位置でなくともよい。縦方向の切り込み線２２は、横方向の中心からずれた位置に配置してもよいし、横方向の切り込み線２１のは、縦方向の中心からずれた位置であってもよい、また、切り込み線２１と２２は必ずしも互いに直交する必要はなく、ある角度をもって交差しておればよいし、直線でなくとも、曲線や鋸状のジグザグ線でもよいし直線と曲線が混ざった線でもよい。
【００２８】
本願発明は、以上説明した二つの実施例に限定するものではない。本発明は、特許請求の範囲に記載の内容から導かれる様々な改良や変形例が含まれることを断っておく。たとえば、収納される袋や包装袋の材料や形状は、上記実施例に記載した以外のものが本発明において利用可能なことは明白である。さらに、収納される袋の折りたたみ方向なども、上記実施例のものに限定するものではなく、様々な折りたたみ方法が利用できる。さらに、包装袋と、紐端部あるいは突起部や持ち手などのと接着は、上述の実施例のような熱溶着だけに限らず、接着剤による方法、あるいは圧着や接続部品などによる方法など、使用材料に応じて、適宜適切な接着方法を使用することができるであろう。
【００２９】
【発明の効果】
本発明によれば、包装部に互いに交差する第１と第２の方向に切り込み線を設けたために、紐あるいは包装部の両端部を軽く引っ張るだけで、包装部が第１の切り込み線から分割されながら、かつ第２の切り込み線もが破れつつ開封される。それと、同時に包装部の破れた部分が大きく開口するので、収納されていた袋本体が折りたたみがとけつつ包装部から引き離されて簡単に展開する。従って、開封時に包装部にしわが生じるような過度の力を必要とすることなく、包装部の開封と袋本体の展開が容易で、印刷面がしわにならずに印刷情報が開封後も容易に視認できる状態となるので、広告宣伝媒体としての機能が持続される。しかも、収納された袋の展開が容易なので、収納される袋のより小さく折りたため、しかも包装部の形状をより小さくできてコンパクトな外形にすることが出来て利便性が良好となるという優れた効果がある。
【図面の簡単な説明】
【図１】本発明の実施例による携帯用ゴミ袋を開封して収納されたゴミ袋を展開する手順を説明するための図。
【図２】携帯用ゴミ袋の包装袋の中に収納されるゴミ袋の一例の正面図。
【図３】ゴミ袋を折りたたむ手順の説明図。
【図４】ゴミ袋を折りたたむ手順の説明図。
【図５】ゴミ袋を折りたたむ手順の説明図。
【図６】ゴミ袋を折りたたむ手順の説明図。
【図７】ゴミ袋を折りたたむ手順の説明図。
【図８】ゴミ袋を包装袋に収納する工程を説明するための図。
【図９】ゴミ袋を折りたたむ手順の説明図。
【図１０】携帯用袋の包装袋の中に収納される袋の別の例の正面図。
【図１１】図１０の袋を包装袋に収納して封止した状態を示す図。
【図１２】従来の携帯用ゴミ袋の構造を示す図。
【符号の説明】
１　　ゴミ袋
２　　ゴミ袋本体
３　　開口部
４　　紐
５　　紐
６　　包装袋
７　　切り込み線
８　　溶着線
９　　溶着線
１０　中心線（折れ曲がり線）
１１　中心線（折れ曲がり線）
１２　折れ曲がり線
１３　折れ曲がり線
１４　折れ曲がり線
２０　シート
２１　切り込み線
２２　切り込み線
２３　溶着線
２４　溶着線
２５　溶着線
３０　包装袋
４０　ポリ袋
４１　持ち手
４２　持ち手
４３　突起
【図１】
2004001863.tif 000003
【図２】
2004001863.tif 000004
【図３】
2004001863.tif 000005
【図４】
2004001863.tif 000006
【図５】
2004001863.tif 000007
【図６】
2004001863.tif 000008
【図７】
2004001863.tif 000009
【図８】
2004001863.tif 000010
【図９】
2004001863.tif 000011
【図１０】
2004001863.tif 000012
【図１１】
2004001863.tif 000013
【図１２】
2004001863.tif 000014